(57)【要約】【課題】入力信号の輝度レベルが低い時に、黒レベル領域の青みを効果的に補正する。【解決手段】入力された映像信号を表示する液晶パネルと、色温度を調整することが可能な構造を有し液晶パネルを照射するバックライトと、入力された映像信号の輝度の情報を検出し、輝度レベル信号を生成する信号輝度レベル検出部と、信号輝度レベル検出部で得た輝度レベル信号が所定値よりも低い場合には、バックライトの色温度を低くなるように制御するバックライト制御信号生成部から構成する。【選択図】図１
2008152008.tif 000002
【特許請求の範囲】
【請求項１】
入力された映像信号を表示する液晶パネルと、
前記液晶パネルを照射するバックライトと、
映像信号の輝度レベル情報を検出し、輝度レベル信号を生成する輝度レベル検出手段と、
輝度レベル信号に基づいて、前記バックライトの色温度を制御するバックライト制御信号を生成するバックライト制御信号生成手段と、を有し、
前記バックライトは、バックライト制御信号に基づいて、色温度が調整されることを特徴とする液晶表示装置。
【請求項２】
前記バックライト制御信号生成手段は、
輝度レベル信号に基づいて、前記バックライトの色温度情報を表す制御パラメータ信号を生成する制御パラメータ信号生成手段と、
制御パラメータ信号に基づいて、前記バックライトの色温度を制御するバックライト制御信号を生成するバックライト制御手段と、を含むことを特徴とする、請求項１記載の液晶表示装置。
【請求項３】
前記輝度レベル検出手段は、映像信号の輝度レベルの平均値を表す平均輝度レベル、および映像信号の輝度レベルの最小値を表す最小輝度レベルを検出することを特徴とする、請求項１記載の液晶表示装置。
【請求項４】
前記バックライト制御信号生成手段は、輝度レベル信号の平均輝度レベルが第１所定値以下で、かつ最小輝度レベルが第１所定値よりも小さい第２所定値以下の場合、前記バックライトの色温度を低く制御することを特徴とする、請求項３記載の液晶表示装置。
【請求項５】
第２所定値は、大略１カンデラ／平方メートルであることを特徴とする、請求項４記載の液晶表示装置。
【請求項６】
さらに、輝度レベル信号に基づいて、映像信号の色温度を制御し、映像処理信号を生成する映像信号処理手段を有し、
前記液晶パネルは、映像処理信号を表示し、
前記輝度レベル検出手段は、平均輝度レベル、最小輝度レベル、および映像信号の輝度レベルの最大値を表す最大輝度レベルを検出し、
前記映像信号処理手段は、輝度レベル信号の平均輝度レベルが第１所定値以下で、最小輝度レベルが第２所定値以下で、かつ最大輝度レベルが第１所定値よりも大きい第３所定値以上の場合、映像信号の色温度を制御し、
前記バックライト制御信号生成手段は、輝度レベル信号の平均輝度レベルが第１所定値以下で、最小輝度レベルが第２所定値以下で、かつ最大輝度レベルが第３所定値未満の場合、前記バックライトの色温度を制御することを特徴とする、請求項１記載の液晶表示装置。
【請求項７】
前記バックライトは、
大略、赤を発光する発光ダイオードと、
大略、緑を発光する発光ダイオードと、
大略、青を発光する発光ダイオードと、を含むことを特徴とする、請求項１記載の液晶表示装置。
【請求項８】
前記バックライトは、
大略、赤を発光する発光ダイオード、または大略、青を発光する発光ダイオードのうち、少なくともいずれかと、
冷陰極管と、を含むことを特徴とする、請求項１記載の液晶表示装置。
【請求項９】
前記バックライトは、色温度が互いに異なる２個の冷陰極管を含むことを特徴とする、請求項１記載の液晶表示装置。
【発明の詳細な説明】
【技術分野】
【０００１】
本発明は、表示装置の色温度を調整する技術に関し、さらに詳しくは液晶表示装置に関する。
【背景技術】
【０００２】
従来の液晶表示装置としては、透過型の液晶が広く普及している。液晶表示装置は、ブラウン管のような自発光型の表示装置ではなく、液晶表示パネルの背面にあるバックライトを用いて表示を行う構造になっており、このバックライトには蛍光管や、発光ダイオードが用いられている。
【０００３】
現在、液晶表示装置は、軽量、薄型といった特徴を活かして、デジタルカメラ、ノートＰＣ、携帯情報端末等さまざまな用途で使用されている。輝度、色再現性、視野角特性といった表示特性がより向上したことで、液晶表示装置は、上述の用途に加え液晶テレビにも多く使用されている。このように液晶表示装置は、表示装置として今後更なる発展が期待できる。
【０００４】
しかしながら、特開２０００−７５８３８号公報に記載されているように、液晶表示装置においては、液晶駆動電圧と透過率の関係に光の波長依存性がある。すなわち、図９に示すように、３原色の赤、緑、青ごとにその特性がずれている。このため、入力映像の信号レベルが下がった時には、表示画像において黒レベル領域の青みが発生するという問題点がある。この課題を、液晶パネル単独で改善することは非常に困難であった。
【０００５】
これに対して、輝度信号レベルが低くなるにつれて、利得制御回路を制御し、青信号の利得を減衰させることで、入力信号のレベル低下による黒レベル領域の青みが発生する現象を補正していた。
【特許文献１】特開２０００−７５８３８号公報
【発明の開示】
【発明が解決しようとする課題】
【０００６】
上述の特開２０００−７５８３８号公報においては、利得制御回路を設ける必要があるために、回路の増加が避けられないという課題がある。更には、入力信号が暗い場合に利得制御回路を用いると、信号の階調性が失われてしまうという課題も有していた。
【０００７】
本発明は上述のような課題を改善するためになされたもので、入力映像信号の信号レベルが低下した場合に、黒レベル領域の青みを効果的に補正する液晶画像表示装置を実現することを目的とする。
【課題を解決するための手段】
【０００８】
上述した課題を解決するために本発明の液晶表示装置は、入力された映像信号を表示する液晶パネルと、前記液晶パネルを照射するバックライトと、映像信号の輝度レベル情報を検出し、輝度レベル信号を生成する輝度レベル検出手段と、輝度レベル信号に基づいて、前記バックライトの色温度を制御するバックライト制御信号を生成するバックライト制御信号生成手段と、を有し、前記バックライトは、バックライト制御信号に基づいて、色温度が調整されることを特徴としている。
【発明の効果】
【０００９】
本発明の液晶画像表示装置によれば、入力映像信号の輝度レベルが低い時にバックライトで色温度を低くし、液晶表示における黒レベル領域の青みが生ずる現象を補正する。これにより、回路の増大を招くことなく、入力映像信号の輝度レベルにより発生する色調の変化を抑制することができる。その結果、液晶パネル側において色温度を改善することが可能となり、良好な表示性能を得ることができ、ディスプレイの表現力を大幅に高めることができる。
【発明を実施するための最良の形態】
【００１０】
以下、本発明の実施の形態に関するいくつかの例について、図面を参照しながら説明する。なお、図面において、実質的に同一の構成、動作、および効果を表す要素については、同一の符号を付す。また、以下において記述される数字は、すべて本発明を具体的に説明するために例示したものであり、本発明は例示された数字に制限されない。さらに、構成要素間の接続関係は、本発明を具体的に説明するために例示したものであり、本発明の機能を実現する接続関係はこれに限定されるものではない。
（実施の形態１）
【００１１】
図１は、実施の形態１による液晶表示装置を示すブロック図である。図１において、液晶パネル１は、背面に配置されたバックライト２を光源として照射することにより、入力された映像信号Ｓ０を表示させる。バックライト２はその色温度を調整することが可能な構成を有している。信号輝度レベル検出部３は、入力された映像信号Ｓ０の輝度レベルを検出し、平均輝度レベル、最大輝度レベル、および最小輝度レベル等の映像信号Ｓ０の輝度レベル情報を表す輝度レベル信号Ｓ３を、制御パラメータ演算部４に出力する。平均輝度レベルは、映像信号Ｓ０の輝度レベルの平均値を表す。最大輝度レベルは、映像信号Ｓ０の輝度レベルの最大値を表す。最小輝度レベルは、映像信号Ｓ０の輝度レベルの最小値を表す。信号輝度レベル検出部３は、輝度レベル検出部とも呼ばれる。
【００１２】
制御パラメータ演算部４は、輝度レベル信号Ｓ３を用いてバックライト２の色温度情報を表す制御パラメータ信号Ｓ４を生成する。制御パラメータ演算部４は、制御パラメータ信号生成部とも呼ばれる。バックライト制御部５は、制御パラメータ信号Ｓ４により、バックライト２の色温度を制御するバックライト制御信号Ｓ５を生成し、バックライト２に出力する。バックライト２は、バックライト制御信号Ｓ５に基づいて、色温度が調整される。制御パラメータ演算部４およびバックライト制御部５は、バックライト制御信号生成部を構成する。
【００１３】
上述のように構成された実施の形態１に示されるように、制御パラメータ演算部４は、輝度レベル信号Ｓ３を用いて、バックライト２の制御データを演算する。このとき、輝度レベル信号Ｓ３が所定値よりも小さい場合には、バックライト２の色温度を低くするようにバックライト制御信号Ｓ５を生成する。これにより、バックライト２が発光する光の色温度を下げて青みを減少させ、液晶画面内の黒レベル近傍を示す領域（以下、黒レベル領域と呼ぶ）で生じている青みの補正を、バックライト２の制御で実現する。
【００１４】
以下、実施の形態１の動作を説明する。制御の基本的な構成は、次の通りである。輝度レベル信号Ｓ３に基づいて、輝度レベルが低い状態、即ち低輝度レベル状態の場合、液晶表示で生じている黒レベル領域の青みを補正するため、バックライト２の色温度が低くなるように制御パラメータ信号Ｓ４を設定する。輝度レベルが低くない、すなわち非低輝度レベル状態の場合、バックライト２の制御パラメータ信号Ｓ４は色温度を低くしない標準の値を設定し、この標準値を通常の制御値として用いる。
【００１５】
ここで、映像信号Ｓ０および液晶パネル１の画面の輝度レベルは、輝度レベルが低い低輝度レベルと、低輝度レベルよりも輝度レベルが高い非低輝度レベル、に分けられる。黒レベルは、低輝度レベルのうち最下位レベルを表す。高輝度レベルは、非低輝度レベルのうち、白レベルと黒レベルの中間付近のレベルを含んで、それ以上の上位レベルを表す。低輝度レベルの状態を低輝度レベル状態、非低輝度レベルの状態を非低輝度レベル状態、とそれぞれ呼ぶ。黒レベルを含めて黒レベル近傍の状態を、黒レベル状態と呼ぶ。高輝度レベルを含めて高輝度レベル近傍の状態を、高輝度レベル状態と呼ぶ。また、画面内の低輝度レベル状態を示す領域を低輝度レベル領域、非低輝度レベル状態を示す領域を非低輝度レベル領域、黒レベル状態を示す領域を黒レベル領域、高輝度レベル状態を示す領域を高輝度レベル領域、とそれぞれ呼ぶ。
【００１６】
以上のように、輝度レベル信号Ｓ３に応じてバックライト２の色温度を適応処理で補正することにより、映像信号処理では不可避であった低輝度レベル状態におけるコントラストの劣化を生ずることなく、黒レベル領域の青みを改善することができる。画面内に非低輝度レベル領域が含まれる場合も含めて、常に色温度を補正する場合、非低輝度レベル領域で赤みがかってしまい、画面全体の色合いが変化する。画面全体が低輝度レベル状態の場合のみ色温度を変えることで、黒レベル領域の青みだけを効果的に補正することができる。
【００１７】
上述したバックライト２による色温度の変化の様子を、図２の色度図で示す。バックライト２の制御パラメータ信号Ｓ４を、輝度レベル信号Ｓ３により変化させることで、色温度は図２のＡ点からＢ点へ移動する。Ｂ点では、Ａ点よりも青の成分が弱くなっており、液晶画面内の黒レベル領域で生じている青みが補正できることがわかる。
【００１８】
図１の制御パラメータ演算部４において、輝度レベル信号Ｓ３に基づいて画面が暗いと判断する単純な構成は、輝度レベル信号Ｓ３の平均輝度レベルの大小判定を行う構成である。平均輝度レベルを表す輝度レベル信号Ｓ３が所定の平均輝度レベル閾値以下の場合に画面が暗いと判断し、バックライト２の色温度を下げるように制御パラメータ信号Ｓ４を設定すればよい。
【００１９】
平均輝度レベルのみを用いる場合、平均輝度レベルが黒レベル近傍にあれば、画面全体も黒レベル状態にあると判断できる。しかし、平均輝度レベルが低輝度レベルの場合、画面内には非低輝度レベル領域が含まれる可能性がある。この状態で色温度を下げると、液晶画面において黒レベル領域の青みが発生していないにもかかわらず色調を変えることになり、弊害が発生する。
【００２０】
このように、画面の中に黒レベル領域が存在することをより正確に判断することが、色温度の調整に必要となる。黒レベル領域をより正確に把握するために、平均輝度レベルに加え最小輝度レベルを明るさの判断に用いる。
【００２１】
平均輝度レベルが最小輝度レベルに近く、ともに低輝度レベルの場合、画面全体が黒レベルという特殊な例を除いて、画面内には黒レベル領域は存在しないことになる。この場合、バックライト２の色温度を低くしても、黒レベル領域の青みを補正する効果は得られない。これに対して、平均輝度レベルが低輝度レベルで、最小輝度レベルが黒レベルに近い場合、黒レベル領域が画面内に部分的に存在すると判断できる。この場合、黒レベル領域の青みを補正する効果を、充分得ることができる。
【００２２】
平均輝度レベルに加えて最小輝度レベルを用いる場合、平均輝度レベルのみを用いる場合と比較すると、画面内に小さな面積で黒レベル近傍の領域が存在しても、黒レベル領域があると判断できる。これにより、平均輝度レベルのみを用いる場合に比べ、画面の明るさの判断を的確に行うことができる。この結果を用いてバックライト２の色温度を低くすれば、画面の黒レベル領域の青み補正を、効果的に実施することができる。
【００２３】
このように、輝度レベル信号Ｓ３の平均輝度レベルが所定の平均輝度レベル閾値以下で、なおかつ最小輝度レベルが平均輝度レベル閾値よりも小さい所定の最小輝度レベル閾値以下の場合、輝度の値が低いデータが多く画面に黒レベル領域の青みが生じているので、このときにバックライト２の色温度を下げることは、画面の画質改善として有効であることは明らかである。
【００２４】
更に最小輝度レベル閾値は、１カンデラ／平方メートル付近が特に有効である。この値の近辺よりも輝度レベルが小さい値である場合には特に黒レベル領域の青みが発生しやすい領域である。したがって、最小輝度レベルの値が１カンデラ／平方メートル付近以下の場合には、バックライト２の色温度を低くする割合を強めにかけることで黒レベル領域の青みの補正を効果的に実施することが可能である。
（実施の形態２）
【００２５】
実施の形態２では、実施の形態１と異なる点を中心に説明する。その他の構成、動作、および効果は、実施の形態１と同等であるので、説明を省略する。
【００２６】
バックライト２の色温度を制御するに際して、図３に示すような画面の場合はバックライト２の色温度制御は注意を要する。図３は全体が暗い画面で黒レベル領域の青みが発生していることに加えて、小さい面積で白色の領域がある場合、つまり最大輝度レベルの高い高輝度レベル領域が存在する画を示している。
【００２７】
輝度情報としては、平均輝度レベルと最小輝度レベルはともに低い値を示すが、更にこの場合には最大輝度レベルは高い値を示す。この場合、実施の形態１に示した構成を用いて、平均輝度レベルと最小輝度レベルの値を用いて判断を行った場合には、平均輝度レベルも最小輝度レベルも低いのでバックライト２の色温度を低くして黒レベル領域の青みを補正する制御を行うことになる。しかしながら、図３に示すように画面の一部に高輝度レベル領域がある場合には、黒レベル領域の青みを補正するためにバックライト２の色温度を低くすると、高輝度レベル領域の色温度も下がってしまう。高輝度レベル領域の色温度の低下が画面に与える影響は大きく、図３における２つの白色の領域の色調の変化が目立ってしまう。
【００２８】
従って、このような画面に対しては、以下のような構成にすれば良い。画面に高輝度レベル領域を含む画であることを判断するために、輝度情報として平均輝度レベル及び最小輝度レベルに加えて、映像信号Ｓ０の輝度レベルの最大値を表す最大輝度レベルの検出も行うようにする。実施の形態１では、輝度情報として平均輝度レベルと最小輝度レベルの２つを用い、これらの値が共に低い場合、画面の輝度レベルが低いと判断し、液晶画面上の黒レベル領域の青みを補正するためにバックライト２の色温度を低くした。一方、実施の形態２では、輝度情報として平均輝度レベル及び最小輝度レベルに加えて、最大輝度レベルの検出も行う。
【００２９】
平均輝度レベルが平均輝度レベル閾値以下で、最小輝度レベルが最小輝度レベル閾値以下の場合に加えて、最大輝度レベルが平均輝度レベル閾値よりも大きい所定の最大輝度レベル閾値以上の場合、図３のように低輝度レベルの領域もあるが、高輝度レベル領域も存在すると判断する。このときの液晶画面上での黒レベル領域の青み補正のための制御は、実施の形態１ではバックライト２の色温度を低くした。実施の形態２では、バックライト２の色温度を下げるのではなく、信号処理部７において輝度レベル信号Ｓ３により映像信号Ｓ０の色温度を制御し、高輝度レベル領域付近以外の色温度を低くして黒レベル領域の青みを補正する。
【００３０】
このような映像信号処理により、高輝度レベル領域以外は色温度が低くなり、これにより輝度レベルが上昇する。しかし、高輝度レベル領域との差が大きく、つまり高輝度レベル領域はもともと明るいため、高輝度レベル領域以外の輝度レベルが上昇しても、画面に与える影響は少ない。これにより、高輝度レベル領域の色温度の低下を招くことなく、黒レベル領域の青みの補正ができる。このように、黒レベル領域の青みが発生しているが、高輝度レベル領域を含む画には、平均輝度レベル、最小輝度レベルに加え最大輝度レベルを検出することにより、所望の動作を実現できることがわかる。
【００３１】
次に、画面の一領域の最大輝度レベルが上述したほど高くない場合、すなわち最大輝度レベルが最大輝度レベル閾値よりも小さく、たとえば白レベルと黒レベルの中間付近のレベルの場合を説明する。この場合、バックライト２の色温度を低くして画面全体の色温度が低くなっても、最大輝度レベルが最大輝度レベル閾値よりも小さい領域の色調の変化は、最大輝度レベルが最大輝度レベル閾値以上の場合と比較すると少ない。従って、黒レベル領域の青みはバックライト２の色温度を下げることにより補正し、高輝度レベル領域の色温度の低下は、映像信号処理により高輝度レベル領域の色温度を上げて、青の成分を上げることで対応すればよい。
【００３２】
このように、バックライト２の制御により色温度を変化させるに際して、色温度を変えることにより、本来補正したい低輝度レベル領域以外も色温度が下がってしまう。特に画面内に高輝度レベル領域が存在すると、その領域の影響は大きくなってしまう。これを回避するために、高輝度レベル領域は映像信号処理により色温度を上げるように補正する。これにより、バックライト２の色温度を低くすることによる黒レベル領域の青みの補正のみが効果として表れるようにして、色温度の補正が不要である画面の領域は影響を受けないようにする。つまり、低輝度レベル領域以外に影響を与える弊害を発生させることなく、低輝度レベル領域における黒レベル領域の青み補正のみを実施し、その効果を高めることが可能である。
【００３３】
以上説明した信号処理により色温度を変える構成を、図４に示す。信号処理部７は、輝度レベル信号Ｓ３を用いて、映像信号Ｓ０の全体の色温度を下げるか、あるいは高輝度レベル領域のみの色温度を上げることにより、映像処理信号Ｓ７を生成する。信号処理部７は、映像信号処理部とも呼ばれる。図４の信号処理部７は、輝度情報により青の信号のゲインを上げる、あるいは青の信号のγ特性を調整することにより、映像信号の青の成分を高くする、あるいは低くする処理を行うことで、映像信号の色温度を変える。この様に、高輝度レベル領域を含む信号が入力した場合には、バックライト制御信号Ｓ５による色温度制御に加えて、信号処理部７において映像信号処理を行うことで、液晶画面において生じている黒レベル領域の青みに対して、補正が可能である。
（実施の形態３）
【００３４】
実施の形態３では、実施の形態１および２と異なる点を中心に説明する。その他の構成、動作、および効果は、実施の形態１および２と同等であるので、説明を省略する。
【００３５】
実施の形態３では、色温度を調整することが可能なバックライト２の構成について説明する。その構成として、まず図５において、バックライト５０は、Ｒ光源５２、Ｇ光源５３、およびＢ光源５４から構成される。バックライト制御部５１からのバックライト制御信号Ｓ５１により、Ｒ、Ｇ、Ｂの発光比率を変えることで、色温度の調整が行われる。バックライト５０の色温度を下げる場合にはＢの発光比率を低くする、あるいはＲの発光比率を高くすれば良い。Ｒ光源５２、Ｇ光源５３、およびＢ光源５４は、いずれも発光ダイオードで構成される。
【００３６】
図６において、バックライト６０は、冷陰極管６２および青ＬＥＤ６３から構成される。この構成において、通常時は冷陰極管６２と青ＬＥＤ６３の両方を点灯させた状態で使用する。これに対して、上述したように輝度レベル信号Ｓ３により画面が暗いと判断し、画面の黒レベル領域の青みを補正するためにバックライト６０の色温度を下げる場合、青ＬＥＤ６３の輝度レベルを低下させる。バックライト６０を構成する冷陰極管６２と青ＬＥＤ６３において、冷陰極管６２の輝度は通常時と同様の状態であるので、青ＬＥＤ６３の輝度を低下させることにより、バックライト６０全体では青の成分を弱める。これに伴って画面の青の成分も弱められて黒レベル領域の青みが補正できる。
【００３７】
また、図７に冷陰極管７２と赤ＬＥＤ７３から構成されるバックライト７０の構成例を示す。この構成において、通常時は冷陰極管７２のみを点灯させた状態で使用する。これに対して、上述したように輝度レベル信号Ｓ３により画面が暗いと判断し、画面の黒レベル領域の青みを補正するために、バックライト７０の色温度を下げる場合は、赤ＬＥＤ７３を点灯させる。バックライト７０を構成する冷陰極管７２と赤ＬＥＤ７３において、冷陰極管７２は通常時と同様に点灯しているので輝度は通常時と同様の状態である。したがって、赤ＬＥＤ７３の点灯により、バックライト７０全体では赤の成分を強める、即ち青の成分を弱めるので、画面の青の成分が弱められて黒レベル領域の青みが補正できる。
【００３８】
また、冷陰極管と青ＬＥＤと赤ＬＥＤからバックライト２を構成しても良い。この構成において、通常時は冷陰極管と青ＬＥＤの両方を点灯させ、赤ＬＥＤは消灯した状態で使用する。画面の黒レベル領域の青みを補正するためにバックライト２の色温度を下げる場合は、青ＬＥＤの輝度を低下させると同時に、赤ＬＥＤを点灯させればよい。
【００３９】
また、簡易的な構成例として、色温度の高い冷陰極管と色温度の低い冷陰極管の２本でバックライト２を構成し、発光させる。この２本の冷陰極管を切り替えて点灯させても色温度の制御は可能である。映像信号Ｓ０の輝度レベル信号Ｓ３が低くない時は、色温度の高い冷陰極管を点灯させる。入力信号の輝度レベル情報から輝度レベルが低い即ち画面が暗いと判断した場合には、色温度の低い冷陰極管を点灯させてバックライト２の色温度を下げる。このように、バックライト２の色温度が下がることで、液晶に表示されている黒レベル領域の青みが補正される。
（実施の形態４）
【００４０】
実施の形態４では、実施の形態１ないし３と異なる点を中心に説明する。その他の構成、動作、および効果は、実施の形態１ないし３と同等であるので、説明を省略する。
【００４１】
テレビなどにおいてユーザー設定等でシネマモードに設定した場合には、映像信号処理で色調を変えていたが、この動作はこれまで説明したバックライト２による色温度の制御でも実現できる。従って、バックライト２の色温度設定の判断に、画面の輝度情報に加えてユーザー情報を用いても良い。ユーザー設定の情報を用いて映像信号Ｓ０に全体的に暗い画が入力するものと判断して、バックライト２の色温度を下げる。映像信号処理による色調の調整に対し、バックライト２の色温度の制御のみで色調の調整が実現でき、有効な手法である。
【００４２】
図８は、ユーザー情報をバックライト２の色温度制御に用いる構成例である。ユーザー設定部６は、ユーザーにより設定されるシネマモード等のテレビモード情報を表すユーザー設定信号Ｓ６を生成する。制御パラメータ演算部４は、輝度レベル信号Ｓ３とユーザー設定信号Ｓ６を両方用いて、バックライト２の色温度設定を行う。
【００４３】
以上説明したように、実施の形態１ないし４では、入力映像信号の輝度レベルが低い時にバックライトで色温度を低くし、液晶表示における黒レベル領域の青みが生ずる現象を補正する。これにより、回路の増大を招くことなく、入力映像信号の輝度レベルにより発生する色調の変化を抑制することができる。その結果、液晶パネル側において色温度を改善することが可能となり、良好な表示性能を得ることができ、ディスプレイの表現力を大幅に高めることができる。
【００４４】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【００４５】
本発明は、画像表示装置に利用できる。
【図面の簡単な説明】
【００４６】
【図１】本発明の実施の形態１による液晶表示装置を示すブロック図。
【図２】本発明の実施の形態１による色温度制御の説明図。
【図３】本発明の実施の形態２による映像画面の説明図。
【図４】本発明の実施の形態２による液晶表示装置を示すブロック図。
【図５】本発明の実施の形態３によるバックライトの構成を示す説明図。
【図６】本発明の実施の形態３によるバックライトの構成を示す説明図。
【図７】本発明の実施の形態３によるバックライトの構成を示す説明図。
【図８】本発明の実施の形態４による液晶表示装置を示すブロック図。
【図９】従来例による液晶の駆動電圧と透過率を示すブロック図。
【符号の説明】
【００４７】
１  液晶パネル
２  バックライト
３  信号輝度レベル検出部
４  制御パラメータ演算部
５  バックライト制御部
６  ユーザー設定部
７  信号処理部
５０  バックライト
５１  バックライト制御部
５２  Ｒ光源
５３  Ｇ光源
５４  Ｂ光源
６０  バックライト
６１  バックライト制御部
６２  冷陰極管
６３  青ＬＥＤ
７０  バックライ
７１  バックライト制御部
７２  冷陰極管
７３  赤ＬＥＤ
【図１】
2008152008.tif 000003
【図２】
2008152008.tif 000004
【図３】
2008152008.tif 000005
【図４】
2008152008.tif 000006
【図５】
2008152008.tif 000007
【図６】
2008152008.tif 000008
【図７】
2008152008.tif 000009
【図８】
2008152008.tif 000010
【図９】
2008152008.tif 000011